(57)【要約】    【課題】病院内において病室内の入院患者へ訪問する来訪者の出退管理を容易にするとともに、防犯効果を高める。    【解決手段】来訪者の氏名等のＩＤの入力により受付装置１のカード発券機１０ｃから発券されるＲＦＩＤカード２を、受付装置のＲＦＩＤ認識部１０ｅまたは廊下灯２１、２２、・・・のうち訪問先である入院患者の病室の出入口近傍に設置された廊下灯のＲＦＩＤ認識部２０１にて認識させると、来訪者の訪問があることが表示部２００に表示される、および／または何れの病室に来訪者が訪問しているのかがナースコール親機３０の表示部３０１に表示されるばかりでなく、自己に対して来訪者の訪問があることがナースコール子機１１ａ〜１１ｄ、１２ａ〜１２ｄ、・・・のうち訪問先の入院患者の病床に設置されたナースコール子機のスピーカ１００から音声メッセージで出力および／または表示パネル部１０１に表示される。    【選択図】図１
2005191713.tif 000002
【特許請求の範囲】
【請求項１】
病院内において病室内の入院患者へ訪問する来訪者により使用され、前記来訪者の氏名等のＩＤを入力するための入力装置（１０ａ）、前記入力されたＩＤを表示するためのディスプレイ（１０ｂ）、前記ＩＤが入力されたときＲＦＩＤカード（２）を発券するためのカード発券機（１０ｃ）、前記ＩＤの情報を蓄積するためのサーバ（１０ｄ）を有する受付装置（１）を備え、
前記サーバに接続され前記ＲＦＩＤカードを認識するためのＲＦＩＤ認識部（１０ｅ、２０１）を備え、
前記来訪者が訪問中であることを廊下灯（２１、２２、・・・）に表示すること、および／または何れの病室に前記来訪者が訪問しているのかをナースコール制御機（３４）を介してナースコール親機（３０）に表示することを特徴とする病室来訪者出退管理システム。
【請求項２】
前記サーバには、前記入力装置によって訪問する入院患者の患者情報が記憶されており、前記ＲＦＩＤカードを前記ＲＦＩＤ認識部にて認識させることで、前記病室内の入院患者に音声メッセージおよび／またはナースコール子機（１１ａ〜１１ｄ、１２ａ〜１２ｄ、・・・）の表示パネル部（１０１）にて前記来訪者の訪問を知らせることを特徴とする請求項１記載の病室来訪者出退管理システム。
【請求項３】
前記ＲＦＩＤカードには、前記入力装置によって訪問する入院患者の患者情報が記憶されており、前記ＲＦＩＤカードを前記ＲＦＩＤ認識部にて認識させることで、前記病室内の入院患者に音声メッセージおよび／またはナースコール子機（１１ａ〜１１ｄ、１２ａ〜１２ｄ、・・・）の表示パネル部（１０１）にて前記来訪者の訪問を知らせることを特徴とする請求項１記載の病室来訪者出退管理システム。
【請求項４】
前記ＲＦＩＤ認識部にて前記ＲＦＩＤカードを認識させることにより、消灯時間が近づいたとき、または面会時間が終了することを音声メッセージおよび／または前記ナースコール子機の表示パネル部にて知らせることを特徴とする請求項１記載の病室来訪者出退管理システム。
【請求項５】
前記ＲＦＩＤ認識部にて前記ＲＦＩＤカードを認識させることにより、消灯時間が近づいたとき、または面会時間が終了するときに、何れの病室に前記来訪者が残っているのかを前記ナースコール親機および／またはハンディナース端末（３１ａ、３１ｂ、・・・）に知らせることを特徴とする請求項１記載の病室来訪者出退管理システム。
【請求項６】
前記ＲＦＩＤ認識部にて前記ＲＦＩＤカードを認識させることにより、前記来訪者による訪問の許可／不許可を前記サーバにて判別することで防犯効果を高めることを特徴とする請求項１記載の病室来訪者出退管理システム。
【請求項７】
前記ＲＦＩＤカードを使用して病院内の滞在時間を計算し、駐車券清算システムと連動することで、駐車料金が無料の場合には清算を前記ＲＦＩＤカードに記録して、前記ＲＦＩＤカードを使用して料金所を通過できるようにすることを特徴とする請求項１記載の病室来訪者出退管理システム。
【請求項８】
前記ＲＦＩＤカードは、外来患者または前記入院患者の診察券として利用され、前記ＲＦＩＤカードを所持していることで病院内の移動管理を行うことを特徴とする請求項１記載の病室来訪者出退管理システム。
【請求項９】
前記ＲＦＩＤカードをバーコードカード（２’）に、前記ＲＦＩＤ認識部をバーコードリーダー（１０ｅ’、２０１’）に置き換えることを特徴とする請求項１乃至請求項８のうち何れか１項記載の病室来訪者出退管理システム。
【請求項１０】
前記ＲＦＩＤ認識部は前記廊下灯に設けられることを特徴とする請求項１乃至請求項９のうち何れか１項記載の病室来訪者出退管理システム。
【発明の詳細な説明】
【技術分野】
【０００１】
本発明は、病院内に設置されるナースコールシステムに連動した病室来訪者出退管理システムに係り、特に、病院内において病室内の入院患者へ訪問する来訪者について出退管理を行うための病室来訪者出退管理システムに関する。
【背景技術】
【０００２】
従来から、病院内において病室内の入院患者へ訪問する来訪者を入退管理するためには、病棟の出入口または病室の出入口に備えられるノート等へ記帳させた来訪者の名前が主な入退管理の手段であった。
【０００３】
なお、従来例についての記載すべき先行技術の情報はない。
【発明の開示】
【発明が解決しようとする課題】
【０００４】
しかしながら、上述の手段を使用して来訪者を入退管理するにあたっては、記帳の忘れ、故意に記帳しない場合等、何時、誰が、何処にといった情報が全ての来訪者に適合できず、消灯時間が近づいたとき、または面会時間が終了するときに何れの病室に来訪者が残っているのか確認できず、犯罪が発生したとき等、現場記録が残らない難点があった。
【０００５】
本発明は、上述の難点を解消するためになされたもので、病院内において病室内の入院患者へ訪問する来訪者の出退管理を容易にするとともに、防犯効果を高めた病室来訪者出退管理システムを提供することを目的としている。
【課題を解決するための手段】
【０００６】
上記の目的を達成するため、本発明の病室来訪者出退管理システムは、病院内において病室内の入院患者へ訪問する来訪者により使用され、来訪者の氏名等のＩＤを入力するための入力装置、入力されたＩＤを表示するためのディスプレイ、ＩＤが入力されたときＲＦＩＤカードを発券するためのカード発券機、ＩＤの情報を蓄積するためのサーバを有する受付装置を備え、サーバに接続されＲＦＩＤカードを認識するためのＲＦＩＤ認識部を備え、来訪者が訪問中であることを廊下灯に表示すること、および／または何れの病室に来訪者が訪問しているのかをナースコール制御機を介してナースコール親機に表示するものである。
【０００７】
また、本発明の病室来訪者出退管理システムにおいて、サーバには、入力装置によって訪問する患者情報が記憶されており、ＲＦＩＤカードをＲＦＩＤ認識部にて認識させることで、病室内の入院患者に音声メッセージおよび／またはナースコール子機の表示パネル部にて来訪者の訪問を知らせるものである。
【０００８】
また、本発明の病室来訪者出退管理システムにおいて、ＲＦＩＤカードには、入力装置によって訪問する入院患者の患者情報が記憶されており、ＲＦＩＤカードをＲＦＩＤ認識部にて認識させることで、病室内の入院患者に音声メッセージおよび／またはナースコール子機の表示パネル部にて来訪者の訪問を知らせるものである。
【０００９】
また、本発明の病室来訪者出退管理システムは、ＲＦＩＤ認識部にてＲＦＩＤカードを認識させることにより、消灯時間が近づいたとき、または面会時間が終了することを音声メッセージおよび／またはナースコール子機の表示パネル部にて知らせるものである。
【００１０】
また、本発明の病室来訪者出退管理システムは、ＲＦＩＤ認識部にてＲＦＩＤカードを認識させることにより、消灯時間が近づいたとき、または面会時間が終了するときに、何れの病室に来訪者が残っているのかをナースコール親機および／またはハンディナース端末に知らせるものである。
【００１１】
また、本発明の病室来訪者出退管理システムは、ＲＦＩＤ認識部にてＲＦＩＤカードを認識させることにより、来訪者による訪問の許可／不許可をサーバにて判別することで防犯効果を高めたものである。
【００１２】
また、本発明の病室来訪者出退管理システムは、ＲＦＩＤカードを使用して病院内の滞在時間を計算し、駐車券清算システムと連動することで駐車料金が無料の場合に清算をＲＦＩＤカードに記録して、ＲＦＩＤカードを使用して料金所を通過できるようにしている。
【００１３】
また、本発明の病室来訪者出退管理システムにおいて、ＲＦＩＤカードは、外来患者または入院患者の診察券として利用され、ＲＦＩＤカードを所持していることで病院内の移動管理を行うことができる。
【００１４】
また、本発明の病室来訪者出退管理システムは、ＲＦＩＤカードをバーコードカードに、ＲＦＩＤ認識部をバーコードリーダーに置き換えることができる。
【００１５】
また、本発明の病室来訪者出退管理システムにおいて、ＲＦＩＤ認識部は廊下灯に設けられる。
【発明の効果】
【００１６】
本発明の病室来訪者出退管理システムによれば、来訪者の氏名等のＩＤの入力により発券されるＲＦＩＤカードまたはバーコードカードを、ＲＦＩＤ認識部またはバーコードリーダーにて認識させることにより、廊下灯の設置場所近傍に居る看護師等は来訪者の訪問があることを容易に確認できる、および／またはナースコール親機が設置されるナースステーション内に在室中の看護師は何れの病室に来訪者が訪問しているのかを容易に確認できる。
【００１７】
また、上述のＲＦＩＤカードまたはバーコードカードを、ＲＦＩＤ認識部またはバーコードリーダーにて認識させることにより、病室内の入院患者に対して自己が訪問先である来訪者の訪問が知らされるばかりでなく、この入院患者は、来訪者による訪問中の時刻が消灯時間に近づいている、または訪問中の時刻としての面会時間が終了することを容易に確認できる。
【００１８】
また、上述のＲＦＩＤカードまたはバーコードカードを、ＲＦＩＤ認識部またはバーコードリーダーにて認識させることにより、ナースステーション内に在室中の看護師および／またはハンディナース端末を携行しながら病院内を巡回中の看護師は、来訪者による訪問中の時刻が消灯時間に近づいている、または訪問中の時刻としての面会時間が終了するときに、何れの病室に来訪者が残っているのかを容易に確認できる。
【００１９】
また、上述のＲＦＩＤカードまたはバーコードカードをＲＦＩＤ認識部またはバーコードリーダーにて認識させることにより、来訪者による訪問の許可／不許可がサーバにて判別されることから、防犯効果が高められる。
【００２０】
また、上述のＲＦＩＤカードまたはバーコードカードを使用して病院内の滞在時間を計算することにより、来訪者が訪問のために使用した車両の駐車料金が駐車場清算システムに連動して容易に清算され、無料の場合の清算が記録されたＲＦＩＤカードまたはバーコードカードを使用して料金所を迅速に通過できる。
【００２１】
さらに、上述のＲＦＩＤカードまたはバーコードカードを外来患者または入院患者の診察券として利用することにより、病院内の移動管理が容易となる。
【発明を実施するための最良の形態】
【００２２】
以下、本発明の病室来訪者出退管理システムを適用した最良の実施の形態例について、図面を参照して説明する。
【００２３】
図１は、本発明の実施例による病室来訪者出退管理システムを示すシステム構成図である。
【００２４】
図１のシステム構成図に示す病室来訪者出退管理システムは、病院内の各病棟（図示せず）において、当該病棟の出入口近傍に設置されており、来訪者が病室内の入院患者を訪問するにあたり所定の操作（後述）等を行うための受付装置１と、部屋番号（病室番号）が「１０１」、「１０２」、・・・のように予め割り当てられている病室内の各病床、所定の位置に設置され個別の子機番号（詳述せず）を有しており、入院患者が医療従事者である医師や看護師、例えば、ナースステーション内に在室中の看護師や後述するハンディナース端末３１ａ、３１ｂ、・・・を携行（所持と同意）しながら病院内を巡回中の看護師のうち受け持ち（担当）の看護師に対して通常のナースコール呼び出し、緊急を要する緊急呼び出し、トイレ介助呼び出し等の呼出種別が異なる呼び出しを行い通話を成立させるための音声を入出力するとともに、自己に対して来訪者の訪問があること、来訪者による訪問中の時刻が消灯時間に近づいている、または訪問中の時刻としての面会時間が終了することをそれぞれ知らせるためのナースコール子機、ここでは、病室毎４台づつ設置されたナースコール子機１１ａ〜１１ｄ、１２ａ〜１２ｄ、・・・と、病室毎に設置、例えば、病室の出入口近傍である廊下先に設置され個別の廊下灯番号（詳述せず）を有しており、子機ラインＬ1a〜Ｌ1d、Ｌ2a〜Ｌ2d、・・・を介してそれぞれ接続されたナースコール子機１１ａ〜１１ｄ、１２ａ〜１２ｄ、・・・からの呼出種別が異なる呼び出しを検出／報知するとともに、看護師に対して来訪者の訪問があることを知らせるための廊下灯２１、２２、・・・と、ナースステーション内に設置されており、ナースコール子機１１ａ〜１１ｄ、１２ａ〜１２ｄ、・・・からの呼び出しがあることを呼出種別毎、所定のパターンで報知し、これを確認した看護師が呼出元である入院患者との間で通話を成立させるための音声を入出力するとともに、何れの病室に来訪者が訪問していることを表示するばかりでなく、来訪者による訪問中の時刻が消灯時間に近づいている、または訪問中の時刻としての面会時間が終了するときに、何れの病室に来訪者が残っているのかを知らせるためのナースコール親機３０と、病院内を巡回中の看護師により携行され個別の端末番号（詳述せず）を有しており、ナースコール子機１１ａ〜１１ｄ、１２ａ〜１２ｄ、・・・からの呼び出しがあることを呼出種別毎、所定のパターンで報知し、これを確認した看護師が呼出元である入院患者との間で通話を成立させるとともに、来訪者による訪問中の時刻が消灯時間に近づいている、または訪問中の時刻としての面会時間が終了するときに、何れの病室に来訪者が残っているのかを知らせるためのＰＨＳ（Personal Handyphone System）等から構成されるハンディナース端末３１ａ、３１ｂ、・・・と、ハンディナース端末３１ａ、３１ｂ、・・・をそれぞれ無線制御するための無線基地局３２と、基地局ラインＬ14を介して接続された無線基地局３２を制御（回線制御）するためのデジタル方式の交換機３３と、ナースステーション内または病院内の共用部に設置されており、サーバラインＬ10を介して接続された受付装置１の後述するサーバー１０ｄ、廊下灯ラインＬ11を介して順次縦接続された廊��灯２１、２２、・・・、親機ラインＬ12を介して接続されたナースコール親機３０、交換機ラインＬ13を介して接続された交換機３３をそれぞれ制御するためのナースコール制御機３４とから構成されている。
【００２５】
受付装置１には、来訪者が自己の氏名や訪問先の入院患者の氏名等のＩＤを入力するためのタッチパネル等から構成される入力装置１０ａと、入力装置１０ａの操作により入力されたＩＤを表示するためのＬＣＤ（Liquid Crystal Display）等から構成されるディスプレイ１０ｂと、入力装置１０ａの操作によりＩＤが入力されたときにＲＦＩＤ（Radio Frequency Identification）カード２を発券するためのカード発券機１０ｃと、サーバラインＬ10を介してナースコール制御機３４に接続されており、ＩＤの情報や来訪者により訪問される入院患者の患者情報を蓄積／記憶するためのパーソナルコンピュータ等から構成されるサーバ１０ｄと、サーバ１０ｄに接続されており、ＲＦＩＤカード２を認識するためのＲＦＩＤ認識部１０ｅとが備えられている。
【００２６】
また、ナースコール子機１１ａ〜１１ｄ、１２ａ〜１２ｄ、・・・はそれぞれ同様な構成であり、病室内の入院患者が呼出先である看護師との間で通話を成立させるための音声を出力するとともに、自己に対して来訪者の訪問があることを知らせるための音声メッセージや来訪者による訪問中の時刻が消灯時間に近づいている、または訪問中の時刻としての面会時間が終了するときに、何れの病室に来訪者が残っているのかを知らせるための音声メッセージを出力するスピーカ１００（１００〜１００、１００〜１００、・・・）と、自己に対して来訪者の訪問があることを表示するとともに、来訪者による訪問中の時刻が消灯時間に近づいている、または訪問中の時刻としての面会時間が終了することを表示するためのＬＣＤ等から構成される表示パネル部１０１（１０１〜１０１、１０１〜１０１、・・・）とが備えられている。
【００２７】
また、廊下灯２１、２２、・・・はそれぞれ同様な構成であり、病室内の入院患者による看護師への呼び出しを呼出種別毎、所定のパターン（詳述せず）で表示するとともに、看護師との間で通話が成立されていることを所定のパターン（詳述せず）で表示するばかりでなく、当該廊下灯が設置される自病室内の入院患者へ来訪者が訪問中であることを所定のパターン（詳述せず）で表示するための複数のＬＥＤ（Light Emitting Diode）等から構成される表示部２００（２００、２００、・・・）と、廊下灯ラインＬ11、ナースコール制御機３４、サーバラインＬ10を介して接続されており、ＲＦＩＤカード２を認識するためのＲＦＩＤ認識部２０１（２０１、２０１、・・・）とが備えられている。
【００２８】
また、ナースコール親機３０には、病室内の入院患者による看護師への呼び出しを呼出種別毎、所定のパターン（詳述せず）で発報するとともに、来訪者による訪問中の時刻が消灯時間に近づいている、または訪問中の時刻としての面会時間が終了するときに、何れの病室に来訪者が残っているのかを知らせるための音声メッセージを出力するスピーカ３００と、病室内の入院患者による看護師への呼び出しを呼出種別毎、所定のパターン（詳述せず）で表示するとともに、入院患者との間で通話が成立されていることを所定のパターン（詳述せず）で表示するばかりでなく、何れの病室に来訪者が訪問しているのかを表示し、さらに来訪者による訪問中の時刻が消灯時間に近づいている、または訪問中の時刻としての面会時間が終了するときに、何れの病室に来訪者が残っているのかを表示するための複数のＬＥＤ等から構成される表示部３０１とが備えられている。
【００２９】
さらに、ハンディナース端末３１ａ、３１ｂ、・・・はそれぞれ同様な構成であり、病室内の入院患者による看護師への呼び出しを呼出種別毎、所定のパターン（詳述せず）で発報するとともに、通話を成立させるための音声を出力するばかりでなく、来訪者による訪問中の時刻が消灯時間に近づいている、または訪問中の時刻としての面会時間が終了するときに、何れの病室に来訪者が残っているのかを知らせるための音声メッセージを出力するスピーカ３１０（３１０、３１０、・・・）と、病室内の入院患者による看護師への呼び出しを呼出種別毎、所定のパターン（詳述せず）で表示するとともに、通話が成立されていることを所定のパターン（詳述せず）で表示するばかりでなく、来訪者による訪問中の時刻が消灯時間に近づいている、または訪問中の時刻としての面会時間が終了するときに、何れの病室に来訪者が残っているのかを表示するための表示部３１１（３１１、３１１、・・・）とが備えられている。
【００３０】
このように構成された本発明の実施例による病室来訪者出退管理システムにおいて、以下、具体的な動作について説明する。
【００３１】
図１のシステム構成図において、病棟の出入口近傍に居る来訪者、ここでは、ナースコール子機１１ａが設置された１０１号室内の入院患者を訪問するための来訪者は、先ず、受付装置１の入力装置１０ａにて自己の氏名や訪問先の入院患者の氏名等のＩＤを入力する。また、受付装置１の入力装置１０ａにて入力されたＩＤは、ディスプレイ１０ｂの画面上に表示されるばかりでなくサーバ１０ｄに蓄積され、このサーバ１０ｄは、予め記憶されている全ての入院患者に関する患者情報から当該ＩＤに対応した入院患者に関する患者情報を読み出す。また、受付装置１のサーバ１０ｄから読み出された患者情報は、ＲＦＩＤカード２に記憶され、このＲＦＩＤカード２は、カード発券機１０ｃより発券される。この後、来訪者は、受付装置１のカード発券機１０ｃより発券されたＲＦＩＤカード２を所持し、当該受付装置のＲＦＩＤ認識部１０ｅ、または入院患者の病床が設置された１０１号室の出入口近傍である廊下先に設置された廊下灯２１のＲＦＩＤ認識部２０１にて認識させる。
【００３２】
ここで、第１の認識操作として、上述のＲＦＩＤカード２を来訪者が受付装置１のＲＦＩＤ認識部１０ｅにて認識させると、来訪者に対してナースコール子機１１ａが設置された病床の入院患者への訪問が許可されているのか、または不許可であることをサーバ１０ｄが判別するとともに、サーバ１０ｄの計時機能により訪問時刻が検出され病院内の滞在時間の計時が開始する。
【００３３】
先ず、第１の認識操作が行われた場合において、受付装置１のサーバ１０ｄは、ＲＦＩＤカード２を所持している来訪者に対してナースコール子機１１ａが設置された病床の入院患者への訪問が許可されているのか、または不許可であるかを判別し、その旨のセキュリティ情報と、入院患者に関する患者情報として、ナースコール子機１１ａの子機番号および部屋番号「１０１」に対応した廊下灯番号とを付加させた訪問情報信号Ｓ1をサーバラインＬ10を介してナースコール制御機３４へと送信する。
【００３４】
ナースコール制御機３４は、受付装置１のサーバ１０ｄからの訪問情報信号Ｓ1を、廊下灯ラインＬ11を介して全ての廊下灯２１、２２、・・・へと送信するとともに、親機ラインＬ12を介してナースコール親機３０へと送信する。
【００３５】
また、廊下灯２１、２２、・・・は、それぞれ受付装置１のサーバ１０ｄからの訪問情報信号Ｓ2に付加されている廊下灯番号と自廊下灯に割り当てられている廊下灯番号とを照合し、当該廊下灯番号が一致した場合にのみ表示部２００にて来訪者が訪問中であることを表示するとともに、訪問情報信号Ｓ1に付加されている子機番号に一致した当該ナースコール子機のスピーカ１００から来訪者の訪問があることを示す音声メッセージを出力させる、および／または当該ナースコール子機の表示パネル部１０１にて来訪者の訪問があることを表示させる。ここでは、１０１号室の出入口近傍に設置された廊下灯２１のみ上述の廊下灯番号が一致し、表示部２００にて来訪者が訪問中であることが表示されるとともに、この廊下灯２１に接続されるナースコール子機１１ａ〜１１ｄのうち、子機番号が一致する子機ラインＬ1aを介して接続されたナースコール子機１１ａのスピーカ１００から来訪者の訪問があることを示す音声メッセージが出力される、および／またはナースコール子機１１ａの表示パネル部１０１にて来訪者の訪問があることが表示される。これにより、１０１号室の出入口近傍に居る看護師等は、１０１号室内の何れかの入院患者へ来訪者が訪問中であることを容易に確認でき、ナースコール子機１１ａが設置された病床の入院患者においても、自己に対して来訪者の訪問があることを容易に確認できる。
【００３６】
さらに、ナースコール親機３０は、受付装置１のサーバ１０ｄからの訪問情報信号Ｓ1に付加されている廊下灯番号をもとに、１０１号室へ来訪者が訪問していることを表示部３０１に表示し、その旨をナースステーション内に在室中の看護師に対して容易に確認させるとともに、訪問情報信号Ｓ1に付加されているセキュリティ情報として来訪者の訪問が不許可である場合には、その旨をスピーカ３００からの警報音の発報および／または表示部３０１の表示によりナースステーション内に在室中の看護師に知らせることで防犯効果を高めることができる。
【００３７】
なお、ナースコール親機３０は、上述のように、１０１号室へ来訪者が訪問していることを表示部３０１に表示するばかりでなく、受付装置１のサーバ１０ｄからの訪問情報信号Ｓ1に付加されている子機番号をもとに、１０１号室へ訪問している来訪者がナースコール子機１１ａが設置された病床の入院患者への訪問であることを表示部３０１に表示させることもできる。
【００３８】
次に、第１の認識操作が行われた場合において、１０１号室内のナースコール子機１ａが設置された病床の入院患者への訪問に対して受付装置１のサーバ１０ｄにて計時中の時刻が消灯時間に近づいている、または訪問中の時刻としての面会時間が終了すると判断された場合、サーバ１０ｄは、来訪者による訪問中の時刻が消灯時間に近づいている、または訪問中の時刻としての面会時間が終了する旨の時刻情報と、何れの病室に来訪者が残っているのかを示す来訪者情報として、上述のナースコール子機１１ａの子機番号および部屋番号「１０１」に対応した廊下灯番号とを付加させた時間／来訪者情報信号Ｓ2をサーバラインＬ10を介してナースコール制御機３４へと送信する。
【００３９】
ナースコール制御機３４は、受付装置１のサーバ１０ｄからの時間／来訪者情報信号Ｓ2を、廊下灯ラインＬ11を介して全ての廊下灯２１、２２、・・・へと送信するとともに、親機ラインＬ12を介してナースコール親機３０および／または交換機ラインＬ13、交換機３３、基地局ラインＬ14、無線基地局３２を介して全てのハンディナース端末３１ａ、３１ｂ、・・・へと送信する。
【００４０】
また、廊下灯２１、２２、・・・は、それぞれ受付装置１のサーバ１０ｄからの時間／来訪者情報信号Ｓ2に付加されている廊下灯番号と自廊下灯に割り当てられている廊下灯番号とを照合し、当該廊下灯番号が一致した場合にのみ、時間／来訪者情報信号Ｓ2に付加されている子機番号に一致した当該ナースコール子機のスピーカ１００から来訪者による訪問中の時刻が消灯時間に近づいている、または訪問中の時刻としての面会時間が終了することを示す時刻情報としての音声メッセージを出力させる、および／または当該ナースコール子機の表示パネル部１０１にて来訪者による訪問中の時刻が消灯時間に近づいている、または訪問中の時刻としての面会時間が終了することを表示させる。ここでは、１０１号室の出入口近傍に設置された廊下灯２１のみ上述の廊下灯番号が一致し、この廊下灯２１に接続されるナースコール子機１１ａ〜１１ｄのうち、子機番号が一致する子機ラインＬ1aを介して接続されたナースコール子機１１ａのスピーカ１００から来訪者による訪問中の時刻が消灯時間に近づいている、または訪問中の時刻としての面会時間が終了することを示す時刻情報としての音声メッセージが出力される、および／またはナースコール子機１１ａの表示パネル部１０１にて来訪者による訪問中の時刻が消灯時間に近づいている、または訪問中の時刻としての面会時間が終了することが表示される。これにより、ナースコール子機１１ａが設置された病床の入院患者は、来訪者による訪問中の時刻が消灯時間に近づいている、または訪問中の時刻としての面会時間が終了することを容易に確認でき、来訪者は帰るように促される。
【００４１】
また、ナースコール親機３０および／またはハンディナース端末３１ａ、３１ｂ、・・・のうち、先ず、ナースコール制御機３４の制御により受付装置１のサーバ１０ｄからの時間／来訪者情報信号Ｓ2がナースコール親機３０のみに伝送される設定の場合、ナースコール親機３０は、時間／来訪者情報信号Ｓ2に付加されている時刻情報をもとに来訪者による訪問中の時刻が消灯時間に近づいている、または訪問中の時刻としての面会時間が終了すると判断し、時間／来訪者情報信号Ｓ2に付加されている来訪者情報からどの病室に来訪者が残っているのか示す音声メッセージをスピーカ３００から出力させる、および／またはどの病室に来訪者が残っているのかを表示部３０１に表示させる。これにより、ナースステーション内に在室中の看護師は、消灯時間が近づいている、または面会時間が終了するときに、何れの病室に来訪者が残っているのかを容易に確認できる。
【００４２】
また、ナースコール制御機３４の制御により受付装置１のサーバ１０ｄからの時間／来訪者情報信号Ｓ2がハンディナース端末３１ａ、３１ｂ、・・・のみに伝送される設定の場合、ハンディナース端末３１ａ、３１ｂ、・・・は、それぞれ時間／来訪者情報信号Ｓ2に付加されている時刻情報をもとに来訪者による訪問中の時刻が消灯時間に近づいている、または訪問中の時刻としての面会時間が終了すると判断し、時間／来訪者情報信号Ｓ2に付加されている来訪者情報からどの病室に来訪者が残っているのか示す音声メッセージをスピーカ３１０（３１０、３１０、・・・）から出力させる、および／またはどの病室に来訪者が残っているのかを表示部３１１（３１１、３１１、・・・）に表示させる。これにより、ハンディナース端末３１ａ、３１ｂ、・・・を携行しながら病院内を巡回中の看護師は、消灯時間に近づいている、または面会時間が終了するときに、何れの病室に来訪者が残っているのかを容易に確認できる。
【００４３】
さらに、ナースコール制御機３４の制御により受付装置１のサーバ１０ｄからの時間／来訪者情報信号Ｓ2がナースコール親機３０およびハンディナース端末３１ａ、３１ｂ、・・・に伝送される設定の場合には、上述のように、ナースコール親機３０のスピーカ３００、表示部３０１およびハンディナース端末３１ａ、３１ｂ、・・・のスピーカ３１０（３１０、３１０、・・・）、表示部３１１（３１１、３１１、・・・）にて、消灯時間に近づいている、または面会時間が終了するときに、何れの病室に来訪者が残っているのかがそれぞれ出力／表示される。
【００４４】
なお、ナースコール親機３０および／またはハンディナース端末３１ａ、３１ｂ、・・・のうち、ナースコール制御機３４の制御により受付装置１のサーバ１０ｄからの時間／来訪者情報信号Ｓ2が伝送される設定の機器は、上述のように、どの病室に来訪者が残っているのか示す音声メッセージを当該スピーカから出力させる、および／またはどの病室に来訪者が残っているのかを当該表示部に表示させるだけでなく、受付装置１のサーバ１０ｄからの時間／来訪者情報信号Ｓ2に付加されている子機番号をもとに、どの病床に来訪者が残っているのか示す音声メッセージを当該スピーカから出力させる、および／またはどの病床に来訪者が残っているのかを当該表示部に表示させることもできる。
【００４５】
次に、第２の認識操作として、上述のＲＦＩＤカード２を入院患者の病床が設置された１０１号室の出入口近傍である廊下先に設置された廊下灯２１のＲＦＩＤ認識部２０１にて認識させると、ＲＦＩＤカード２に予め記憶されたＩＤが廊下灯ラインＬ11、ナースコール制御機３４、サーバラインＬ10を介して受付装置１のサーバ１０ｄへと伝送される。
【００４６】
受付装置１のサーバ１０ｄは、廊下灯２１からのＩＤをもとに、来訪者に対してナースコール子機１１ａが設置された病床の入院患者への訪問が許可されているのか、または不許可であることを判別し、その旨のセキュリティ情報と、入院患者の患者情報として、ナースコール子機１１ａの子機番号および部屋番号「１０１」に対応した廊下灯番号とを付加させた訪問情報信号Ｓ1をサーバラインＬ10を介してナースコール制御機３４へと送信するとともに、当該サーバが有する計時機能により訪問時刻を検出して病院内の滞在時間の計時を開始する。
【００４７】
なお、第２の認識操作が行われた場合において、上述以降の動作、すなわち、１０１号室内の何れかの入院患者へ来訪者が訪問中であることを１０１号室の出入口近傍に居る看護師等に確認させるための動作、自己に対して来訪者の訪問があることをナースコール子機１１ａが設置された病床の入院患者に確認させるための動作、来訪者が訪問していることと当該来訪者の訪問が不許可である場合におけるその旨をナースステーション内に在室中の看護師に確認させるための動作、来訪者による訪問中の時刻が消灯時間に近づいている、または訪問中の時刻としての面会時間が終了することをナースコール子機１１ａが設置された病床の入院患者に確認させるための動作、消灯時間が近づいている、または面会時間が終了するときに、何れの病室に来訪者が残っているのかをナースステーション内に在室中の看護師および／またはハンディナース端末３１ａ、３１ｂ、・・・を携行しながら病院内を巡回中の看護師に確認させるための動作は、それぞれ上述の第１の認識操作が行われた場合と同様であることから説明は省略する。
【００４８】
なお、本発明の実施例によれば、受付装置１のサーバ１０ｂにて計時が開始されたＲＦＩＤカード２を使用して病院内の滞在時間を計算し、図示しない駐車場清算システムと連動させることにより、来訪者が訪問のために使用した車両の駐車料金を容易に清算することもでき、無料の場合の清算が記録されたＲＦＩＤカードを使用すると料金所の通過が迅速化される。
【００４９】
また、本発明の実施例によれば、受付装置１のカード発券機１０ｃより発券されるＲＦＩＤカード２を来訪者に所持させたが、所持の主体は来訪者のみならず、病院に通院する外来患者または入院患者も好適とされ診察券として利用でき、診察券として利用する場合においては病院内の移動管理が容易となる。
【００５０】
また、本発明の実施例によれば、受付装置１のカード発券機１０ｃより発券され、来訪者の所持のみならず外来患者または入院患者により診察券として所持されるカードをＲＦＩＤカード２とし、このＲＦＩＤカード２を受付装置１のＲＦＩＤ認識部１０ｅまたは廊下灯２１、２２、・・・のＲＦＩＤ認識部２０１（２０１、２０１、・・・）にて認識させたが、ＲＦＩＤカード２をバーコードカード２’に、ＲＦＩＤ認識部１０ｅ、２０１（２０１、２０１、・・・）をバーコードリーダー１０ｅ’、２０１’（２０１’、２０１’、・・・）にそれぞれ置き換えることもできる。
【００５１】
さらに、本発明の実施例によれば、廊下灯２１、２２、・・・の表示部２００（２００、２００、・・・）およびナースコール親機３０の表示部３０１として、複数のＬＥＤ等を適用させたが、これに限定されず、ＬＣＤ等も好適である。
【図面の簡単な説明】
【００５２】
【図１】本発明の実施例による病室来訪者出退管理システムを示すシステム構成図。
【符号の説明】
【００５３】
１……受付装置
１０ａ……入力装置
１０ｂ……ディスプレイ
１０ｃ……カード発券機
１０ｄ……サーバ
１０ｅ……ＲＦＩＤ認識部
１０ｅ’……バーコードリーダー
２……ＲＦＩＤカード
２’……バーコードカード
１１ａ〜１１ｄ、１２ａ〜１２ｄ、・・・ ……ナースコール子機
１００……表示パネル部
２１、２２、・・・ ……廊下灯
２０１……ＲＦＩＤ認識部
２０１’……バーコードリーダー
３０……ナースコール親機
３１ａ、３１ｂ、・・・ ……ハンディナース端末
３４……ナースコール制御機
【図１】
2005191713.tif 000003